(57)【要約】【課題】  既存の掛け軸の機能を生かしながら、立体品の展示を容易にし、取り外し，巻き上げ収納も簡単に出来るようにした装飾物の展示方法および展示具を提供する。【解決手段】  巻物の表地と裏地との間に可撓性補強シートを介在させて互いに接着して一体化し、この一体化したものに孔または切り込みなどの加工を施し、前記孔または切り込みなどに取付部材を通し、該取付部材に立体的装飾物を係合させて、前記一体化したものに着脱自在に取り付ける。前記取付部材は、線状体，ネジとＵ字状包囲部材，クリップ，磁石片などである。【選択図】        図３
2005192674.tif 000002
【特許請求の範囲】
【請求項１】
巻物の表地と裏地との間に可撓性補強シートを介在させて互いに接着して一体化し、この一体化したものに孔または切り込みなどの加工を施し、前記孔または切り込みなどに取付部材を通し、該取付部材に立体的装飾物を係合させて、前記一体化したものに着脱自在に取り付けることを特徴とする装飾物の展示方法。
【請求項２】
巻物の表地と、裏地と、これらの間に介在され互いに接着された補強シートと、前記巻物に貫通して着脱自在に取り付けられた取付部材と、該取付部材に係合されて、前記巻物の表地側に支持された立体的装飾物とを含むことを特徴とする装飾物の展示具。
【請求項３】
表地と、裏地と、これらの間に介在され互いに接着された補強シートとを含むことを特徴とする巻物。
【請求項４】
前記取付部材は、線状体であることを特徴とする請求項２記載の装飾物の展示具。
【請求項５】
前記取付部材は、裏地側に位置する受け部材と、表地側に位置して前記受け部材に対向係合するＵ字状包囲部材と、巻物地を貫通して両者を結合させる雄ネジ部材と雌ネジ部材の組み合わせであることを特徴とする請求項２記載の装飾物の展示具。
【請求項６】
前記取付部材は、裏地を貫通して表側に突出したＵ字状の受け部材と、これに弾性変形により係合される包囲部材からなるクリップであることを特徴とする請求項２記載の装飾物の展示具。
【請求項７】
前記取付部材は裏地側に位置する磁石片と、該磁石片に吸着されるよう、表地側に位置する磁性材料からなるＵ字状包囲部材とを含むことを特徴とする請求項２記載の装飾物の展示具。
【請求項８】
前記補強シートは、磁石粉を含んだ合成樹脂からなり、該シートに吸着される磁石からなる包囲部材が前記装飾物を支持するようにしたことを特徴とする請求項２記載の装飾物の展示具。
【請求項９】
前記巻物は掛け軸であることを特徴とする請求項１または２または３または４または５または６または７または８記載の装飾物の展示具。
【請求項１０】
前記装飾物は扇子であることを特徴とする請求項１または２または３または４または５または６または７または８記載の装飾物の展示具。
【請求項１１】
前記補強シートはポリエステル系合成樹脂からなることを特徴とする請求項１または２または３または４または５または６または７または８または９または１０記載の装飾物の展示具。
【発明の詳細な説明】
【技術分野】
【０００１】  本発明は、装飾物の展示方法および展示具に関するものである。
【背景技術】
【０００２】  日本の伝統文化の中で、掛け軸は床の間に飾られて、美術を鑑賞する特別な空間を構成していた。しかしながら、戦後日本の経済成長にともない、洋風建築や集合住宅（高層マンション）が増加の一途をたどり、家屋における床の間と共に、今や、掛け軸は消えようとしているのではないか。
伝統を生かしつつ、それに新規発想を加え、日本が世界に誇る伝統文化の発展的拡大，有効利用を目指さなければならないだろう。
【発明の開示】
【発明が解決しようとする課題】
【０００３】  本発明は、既存の掛け軸の機能を生かしながら、立体品の展示を容易にし、取り外し，巻き上げ収納も簡単に出来るようにした装飾物の展示方法および展示具を提供することを目的とする。
【課題を解決するための手段】
【０００４】  本発明の第１は、巻物の表地と裏地との間に可撓性補強シートを介在させて互いに接着して一体化し、この一体化したものに孔または切り込みなどの加工を施し、前記孔または切り込みなどに取付部材を通し、該取付部材に立体的装飾物を係合させて、前記一体化したものに着脱自在に取り付けることを特徴としている。【０００５】  本発明の第２は、巻物の表地と、裏地と、これらの間に介在され互いに接着された補強シートと、前記巻物に貫通して着脱自在に取り付けられた取付部材と、該取付部材に係合されて、前記巻物の表地側に支持された立体的装飾物とを含むことを特徴としている。【０００６】  本発明の第３は、表地と、裏地と、これらの間に介在され互いに接着された補強シートとを含むことを特徴としている。【０００７】  本発明の第４は  第２に加え、前記取付部材は、線状体であることを特徴としている。【０００８】  本発明の第５は  第２に加え、前記取付部材は、裏地側に位置する受け部材と、表地側に位置して前記受け部材に対向係合するＵ字状包囲部材と、両者を結合させる雄ネジ部材と雌ネジ部材の組み合わせであることを特徴としている。【０００９】  本発明の第６は  第２に加え、前記取付部材は、裏地を貫通して表側に突出したＵ字状の受け部材と、これに弾性変形により係合される包囲部材からなるクリップであることを特徴とするしている。【００１０】  本発明の第７は  第２に加え、前記取付部材は裏地側に位置する磁石片と、該磁石片に吸着されるよう、表地側に位置する磁性材料からなるＵ字状包囲部材とを含むことを特徴としている。【００１１】  本発明の第８は  第２に加え、前記補強シートは、磁石粉を含んだ合成樹脂からなり、該シートに吸着される磁石からなる包囲部材が前記装飾物を支持するようにしたことを特徴としている。【００１２】  本発明の第９は、第１または第２または第３または第４または第５または第６または第７または第８に加え、前記巻物は掛け軸であることを特徴としている。【００１３】  本発明の第１０は、第１または第２または第３または第４または第５または第６または第７または第８に加え、前記装飾物は扇子であることを特徴としている。【００１４】  本発明の第１１は、第１または第２または第３または第４または第５または第６または第７または第８または第９または第１０に加え、前記補強シートはポリエステル系合成樹脂からなることを特徴としている。
【発明の効果】
【００１５】  本発明により、既存の掛け軸の機能を生かしながら、立体品の展示を容易にし、取り外し，巻き上げ収納も簡単に出来るようになった。したがって、巻物に立体的、三次元的装飾物、例えば、日本古来の扇子などと結合できれば、三次元インテリアとしての効果を引き出すことができる。家屋において、特別の部屋でなくとも、本発明の展示具を飾ることにより、そこに、あたかも床の間の雰囲気を醸し出すことになり、床の間としての品格が備わってくるのである。
【発明を実施するための最良の形態】
【００１６】  以下に、本発明の実施態様を図面に示す一実施例を図面に基づき説明する。図１は、従来からある掛け軸１の一例を示す。装飾物Ａ（扇子）が取り付けられる表紙１ａの直上および直下に各々、上一文字１ｂ、下一文字１ｃが位置する。表紙１ａの左右に柱１ｄが位置し、これらの上下に各々、中上１ｅ、中下１ｆが位置する。そして、中上１ｅの上側に天１ｇ、中下１ｆの下側に地１ｈが位置する。１ｉは軸，１ｊは吊り紐である。【００１７】  さて本発明では、前記において、表紙１ａ、上一文字１ｂ，下一文字１ｃおよび両側の柱１ｄに対応した部分に、ポリエステルフィルムからなる補強シート２を介在させたのである。即ち、図１，図２のＸ３−Ｘ３断面である図３と、図１のＹ４−Ｙ４断面である図４において、補強シート２の上に表紙１ａを載せて接着する。その天側および地側に各々上一文字１ｂおよび下一文字１ｃを接着する。次に、柱１ｄを接着し、次いで、中上１ｅおよび中下１ｆを接着し、次いで天１ｇと地１ｈを接着する。最後にこれらの全体に対し、肌裏紙３を接着する。ここで、接着剤として、従来から公知のものが使われる。【００１８】  前記のように、巻物１の表地１ａと裏地３との間に、可撓性補強シート２を介在させて互いに接着して一体化し、接着剤を乾燥により固化させる。そして、図２に示すように、この一体化したものに孔または切り込み１ｋなどの加工を施す。次いで、前記孔または切り込み１ｋに、取付部材１０を表から裏へ、または、裏から表へ通し、該取付部材に、例えば、扇子からなる立体的装飾物Ａを係合させて、前記一体化したものに着脱自在に取り付けるのである。【００１９】  そして、本発明の装飾物の展示具として、巻物１の表地１ａと、裏地３と、これらの間に介在され互いに接着された補強シート２と、前記巻物に貫通して着脱自在に取り付けられた取付部材１０と、該取付部材に係合されて巻物の表地に取り付けられた扇子からなる立体的装飾物Ａとを含む。ここで、図２に示すように、前記取付部材１０は、紐１１などの線状体である。扇子の要部分を囲んで紐１１が表から裏へ通され、この紐の両端を再び前記切り込み１ｋよりも上方に設けた別の切り込み１ｋに裏から表へ通し、この両端を含む部分で扇子の骨の中央部１本をくくりつける。【００２０】  図５に示す例では、前記取付部材１０は、裏地側に位置する受け部材１２ａと、表地側に位置して、該受け部材に対向係合するＵ字状包囲部材１２ｂと、巻物地を貫通して両者を結合させる雄ネジ部材１２ｃと、受け部材１２ａに設けた雌ネジ１２ｄの組み合わせである。【００２１】  図６に示す例では、前記取付部材１０は、弾性変形により互いに係合される第１，第２クリップ１３ａ，１３ｂである。裏地側に位置して巻物地の貫通に表地側に突出したＵ字状受け部材１３ａと、その突出端に弾性変形して係合するＵ字状の包囲部材１３ｂからなる。【００２２】  図７に示す例では、前記取付部材１０は裏地側に位置する磁石片１４ａと、該磁石片に吸着されるよう、表地側に位置する磁性材料からなるＵ字状包囲部材１４ｂとからなる。【００２３】  図８に示す例では、前記補強シート２は、磁石粉を含んだ合成樹脂からなり、該シートに吸着される磁石からな��Ｕ字状の包囲部材１５が、前記装飾物Ａを囲んで表地面に支持される。【００２４】  前記巻物１は掛け軸であるが、そのほか、軸のない壁掛け用の布地，紙地などにも適用できる。前記装飾物Ａは扇子であるが、そのほか、生け花用の花瓶，籠，ドライフラワーなどの立体的装飾物である。【００２５】  ここで、前記補強シート（フィルム）２の材質は、前記ポリエステルのほか、ポリプロピレン，ポリエチレン，ナイロン，ポリビニルアルコール，ポリ塩化ビニル，ポリ塩化ビニリデン，ポリカーボネイトなどの合成樹脂や、セロファンなどからなる。この補強シート２の存在により、掛け軸全体の表面強度を強めるとともに、皺，弛み，湾曲変形などをなくする。掛け軸は、長さ（上下方向）に軸などの重力により延ばされるが、幅方向（左右方向）断面内では湾曲変形が生じる恐れがある。本発明ではこの幅方向湾曲も防止される。【００２６】  補強シート２には装飾物（扇など）の重みに耐える範囲で切り込み、孔あけ１ｋなどの加工を施す。前記磁石を利用する場合は、切り込み，孔あけなどの加工が不要となり、しかも装飾物を掛ける位置が自由に容易に変更決定することができる。【００２７】  本発明は前記した実施例や実施態様に限定されず、特許請求の範囲および範囲を逸脱せずに種々の変形を含む。
【産業上の利用可能性】
【００２８】  本発明は、装飾物の展示方法および展示具に関するものである。
【図面の簡単な説明】
【００２９】
【図１】本発明の一実施例の正面図である。
【図２】図１の要部斜視図である。
【図３】図１のＸ３−Ｘ３拡大断面図である。
【図４】図１のＹ４−Ｙ４拡大断面図である。
【図５】装飾物取付部材の他の実施例のＸ３−Ｘ３視に対応した平面図である。
【図６】装飾物取付部材の他の実施例のＸ３−Ｘ３視に対応した平面図である。
【図７】装飾物取付部材の他の実施例のＸ３−Ｘ３視に対応した平面図である。
【図８】装飾物取付部材の他の実施例のＸ３−Ｘ３視に対応した平面図である。
【符号の説明】
【００３０】Ａ  装飾物
１  掛け軸
１ａ  表紙
１ｂ  上一文字
１ｃ  下一文字
１ｄ  柱
１ｅ  中上
１ｆ  中下
１ｇ  天
１ｈ  地
１ｉ  軸
１ｊ  吊り紐
１ｋ  切り込み（孔）
２  補強シート
３  肌裏紙
１０  取付部材
１１  紐
１２ａ  受け部材
１２ｂ  Ｕ字状
１３ａ  第１クリップ片
１３ｂ  第２クリップ片
１４ａ  磁石片
１４ｂ  Ｕ字状包囲部材
１５  Ｕ字状包囲部材
【図１】
2005192674.tif 000003
【図２】
2005192674.tif 000004
【図３】
2005192674.tif 000005
【図４】
2005192674.tif 000006
【図５】
2005192674.tif 000007
【図６】
2005192674.tif 000008
【図７】
2005192674.tif 000009
【図８】
2005192674.tif 000010